(57)【特許請求の範囲】
【請求項１】
アウターブーツと、このアウターブーツの内部に挿着されるインナーブーツとを備えたスノーボード用ブーツであって、インナーブーツの甲部分を跨いで架け渡す締付ベルトを備え、この締付ベルトの一端を固定端としてアウターブーツの踵部分の内面の一側端部に固定すると共に、この締付ベルトの他端を自由端としてアウターブーツの踵部分の内面の他側端部に設けたフックに引っ掛けたことを特徴とするスノーボード用ブーツ。
【請求項２】
締付ベルトの自由端を締付け自在にする締付け調整具をアウターブーツの外面に設け、バインディングを付けた状態においても上記締付け調整具をアウターブーツの外から操作可能にしたことを特徴とする請求項１に記載のスノーボード用ブーツ。
【請求項３】
締付ベルトをワイヤで構成すると共に、締付け調整具をワイヤの自由端を巻き取り自在にするワイヤ巻取り装置で構成したことを特徴とする請求項２に記載のスノーボード用ブーツ。
【請求項４】
締付け調整具を取り付けるための開口をアウターブーツに設け、締付け調整具を除去したときに上記開口に着脱自在に装着させる覆い部材を備えてなることを特徴とする請求項２に記載のスノーボード用ブーツ。
【発明の詳細な説明】
【０００１】
【発明の属する技術分野】
本発明は、スノーボード用ブーツに関し、詳しくは、ブーツに踵を強く固定させる技術に関するものである。
【０００２】
【従来の技術】
「スノーボード」といったスポーツは、ブーツをボードの上に装着したバインディングに固定し、競技者の足とボードとを一体化させて行うものであり、競技者の身体の体重を前後左右に移動させたり、ボードの雪面への傾斜角度を変えたりして、ターンや停止、またはジャンプ等の動作を交えて雪面を滑降するスポーツである。したがって、スノーボードを行うにあたって競技者の意思を発揮させるには、足とボードの一体性、ひいては足のブーツへの強固な固定が不可欠とされる。厳密には、ひざを曲げて雪面に対してつま先を立てるように足を動作させたとき、つまり踵に競技者の体重が乗らないときにも、この足の動作に追従して雪面にエッジを効かせるように確実にボードを立てることができるように、特に、踵とブーツとの固定が強固に為されることが要求される。
【０００３】
更に言うと、スキー場でスノーボードを楽しむ競技者は、常に雪面を滑降し続けているわけではなく、雪面滑降後にリフトに乗ったり、休憩したりするのであるが、ブーツへの足の締め付け時間が長くなると足に多大な負担がかかる（うっけつ等が生じる）ので、足のブーツへの固定は実際に雪面を滑降するときにのみ行われるのが好ましいのである。
【０００４】
しかしながら、従来の一般的なブーツでは、アウターブーツ内に挿着したインナーブーツに収めた足は、アウターブーツの甲部分の開閉部に架け渡された靴紐を締め上げることで、ブーツに固定されるようになっているが、このアウターブーツはインナーブーツの抜け防止やインナーブーツの保護を図るために比較的硬い材質で形成されていることから、この靴紐を締め上げても、せいぜいインナーブーツや足のアウターブーツから抜け止めが行われるといった程度に、足がブーツに固定されるに過ぎないものであった。
【０００５】
【発明が解決しようとする課題】
そこで、図１２に示すように、インナーブーツ３を直接締め付ける締付け具５０をアウターブーツ２の内面に沿わせて装着し、この締付け具５０内にインナーブーツ３を挿着して構成するブーツ１も考案されるに至った。この締付け具５０は、アウターブーツ２の立ち上がり部分Ｃの内面に沿って設けられるよう、前方に開閉部５２を有すると共に、この開閉部５２に靴紐５１を架け渡して構成したものであり、靴紐５１を締め上げることで締付け具５０内にあるインナーブーツ３を締付けられるようにしたものである。この締付け具５０によると、上述した一般的なブーツに比べて、足を比較的強固にブーツ１に固定できるものであるが、この靴紐５１を締め上げるには競技者の指をアウターブーツ２とインナーブーツ３との間に入れねばならないことから、靴紐５１はアウターブーツ２が左右に開き得る範囲、つまりアウターブーツ２の開閉部７に重なる部分にのみ設けることが可能なものであって、したがって、締付け具５０は足のくるぶし以上の部位を締め付けて足をブーツ１に固定するに過ぎないのである。つまり、締付け具５０によっても、スノーボードで求められる踵のブーツ１への強固な固定は図ることはできないのであった。
【０００６】
しかも、この締付け具５０を備えたブーツ１における足のブーツ１への固定・解除は、アウターブーツ２及び締付け具５０の２種類の靴紐８，５１を締め付けたり、ほどいたりして行われるのであるから、競技者が雪面を滑降するときにのみ足を固定しようとすると、足のブーツ１への固定・解除の都度に２種類の靴紐８，５１を締め付けたり、ほどいたりしなければならず、したがって、迅速に足をブーツ１に固定・解除することはできないものである。しかも、この靴紐８，５１を締め付ける作業やほどく作業は、手袋をはめた状態では行い難い細かな作業であり、足のブーツ１への固定・解除の都度に手袋を着脱しなければならず、特にゲレンデにおいて競技者に煩雑な思いをさせることとなっていた。
【０００７】
本発明は上記の点に鑑みてなされたものであり、その目的とするところは、踵を強固に固定させ得るスノーボード用ブーツを提供するものであり、また他の目的とするところは、足のブーツへの固定・解除を容易に操作できるスノーボード用ブーツを提供するものである。
【０００８】
【課題を解決するための手段】
上記課題を解決するために本発明に係るスノーボード用ブーツは、アウターブーツ２と、このアウターブーツ２の内部に挿着されるインナーブーツ３とを備えたスノーボード用ブーツであって、インナーブーツ３の甲部分Ｂを跨いで架け渡す締付ベルト４を備え、この締付ベルト４の一端を固定端としてアウターブーツ２の踵部分Ａの内面の一側端部に固定すると共に、この締付ベルト４の他端を自由端としてアウターブーツ２の踵部分Ａの内面の他側端部に設けたフック５に引っ掛けたことを特徴とする。これによると、アウターブーツ２の内面部の踵部分Ａに固定・引掛けた締付ベルト４の自由端を引っ張ることで、インナーブーツ３の外面における甲部分Ｂから踵部分Ａまでの部位をアウターブーツ２の内側部の踵部分Ａに向って締付けることができることから、インナーブーツ３に入れた足のうち特に踵をブーツ１に強固に固定できるようになる。
【０００９】
また、締付ベルト４の自由端を締付け自在にする締付け調整具６をアウターブーツ２の外面に設け、バインディング３４を付けた状態においても上記締付け調整具６をアウターブーツ２の外から操作可能にすることも好ましい。これによると、アウターブーツ２の外方から締付け調整具６を操作することで、足をブーツ１に固定する締付ベルト４の締め付け具合を調整でき、したがって締付ベルト４の足の締め付け具合を調整するのに、ブーツ１を履いた状態で簡単且つすばやく行えるものであり、ブーツ１の使い勝手の向上が図られるのである。
【００１０】
また、締付ベルト４をワイヤ４０で構成すると共に、締付け調整具６をワイヤ４０の自由端を巻き取り自在にするワイヤ巻取り装置４１で構成することも好ましい。これによると、締付ベルト４をワイヤ４０にて構成したことで締付ベルト４のコンパクト化を図ることができ、ほどんど隙間のないアウターブーツ２とインナーブーツ３との間にも締付ベルト４を装着できるようになる。
【００１１】
また、締付け調整具６を取り付けるための開口１１をアウターブーツ２に設け、締付け調整具６を除去したときの上記開口１１に着脱自在に装着させる覆い部材３９を備えたことも好ましい。これによると、締付け調整具６をブーツ１から取り外したときには開放状態になる開口１１を覆い部材３９で塞ぐことができるのである。
【００１２】
【発明の実施の形態】
以下、本発明を添付図面に示す実施形態に基づいて説明する。
【００１３】
図１乃至図８に本発明の実施の形態の例を示す。本例のスノーボード用ブーツ１は、基本的に従来同様、アウターブーツ２とその内部に挿着するインナーブーツ３とを備えて構成される。アウターブーツ２はインナーブーツ３に挿入した足を衝撃等から保護するためにインナーブーツ３に比べて硬質の材料で形成されている。そして、このアウターブーツ２における甲部分Ｂには、アウターブーツ２を左右に開閉できるようにした開閉部７が形成され、この開閉部７には靴紐８が左右に幾重にも架けられている。つまり、この靴紐８を締め上げることでアウターブーツ２は左右に閉じ、逆に靴紐８を緩めることでアウターブーツ２は左右に開くようになっている。また、アウターブーツ２の踵部分Ａはソール部９から延出した補強部１０にて補強されている。この補強部１０はソール部９と共に、アウターブーツ２の他部分と比べても比較的硬いプラスチック等の材質で形成されており、アウターブーツ２の強度補強（形状補強）が為されている。インナーブーツ３のアウターブーツ２内への挿着は、靴紐８を緩めてアウターブーツ２の開閉部７を左右に開いてアウターブーツ２の立ち上がり部分Ｃの上端にある上方開口１２を大きく広げ、この大きく広げたアウターブーツ２の上方開口１２からインナーブーツ３をアウターブーツ２の内部に挿入することで行われる。また、本例のインナーブーツ３は従来同様のものを用いており、内部に挿入した足に柔らかくフィットさせるために布やフェルトなどの柔軟な材料で形成され、甲部分Ｂには上縁から切込みが切り込まれると共に、この切込み縁同士が内外に重なり合う重合部１３が設けられ、足を挿入するインナーブーツ３の内部容積を大小に変化できるようにしている（図１２参照）。
【００１４】
上述した本例のブーツ１にあっては、アウターブーツ２とインナーブーツ３との間に締付ベルト４が備えられている。この締付ベルト４は、一端を固定端とすると共に他端を自由端とするベルトであって、インナーブーツ３の外面に沿わせつつ、インナーブーツ３の甲部分Ｂを跨いでインナーブーツ３の踵部分Ａの左右両側に架け渡すようなベルトである。具体的に締付ベルト４は、図３に示すように、固定端側から自由端側に向って、固定端側樹脂帯体１４、緩衝体１５、紐体１６、自由端側樹脂帯体１７を順に連結して構成されたものである。
【００１５】
この締付ベルト４は、その固定端がアウターブーツ２の内面の踵部分Ａにおける一側端部に固定される。本例では固定端側樹脂帯体１４の固定端側の端部には連結具４９ａが備えられている。この連結具４９ａはアウターブーツ２の踵部分Ａの一側端部に固定された連結具４９ｂと対を為し、この連結具４９ｂに着脱自在に取付可能なものである。なお、連結具４９ｂには挿通孔１８が設けられ、この挿通孔１８にピンやボルト等の固着具１９を挿通すると共にこの固着具１９をアウターブーツ２の踵部分Ａの一側端部に打入することで、連結具４９ｂはアウターブーツ２の踵部分Ａの一側端部に固定される。そして、この連結具同士４９ａ，４９ｂを連結させることで締付ベルト４の固定端のアウターブーツ２への固定が行われる。この１対の連結具４９ａ，４９ｂによると、固定端側樹脂帯体１４のアウターブーツ２への着脱を容易にできることから、必要に応じて締付ベルト４をブーツ１から取り外す場合に有利である。なお、上記１対の連結具４９ａ，４９ｂの具体的な構造は後述するワンタッチ連結具２４［図４（ｂ）］と略同様の構造を有している。無論、固定端側樹脂帯体１４そのものに挿通孔１８を設けると共にこの挿通孔１８に挿通した固着具１９をアウターブーツ２に打入し、締付ベルト４の固定端のアウターブーツ２への固定を行ってもよい。ここで、アウターブーツ２の踵部分Ａは補強部１０にて補強されているので、締付ベルト４のアウターブーツ２への固定は補強部１０にて行われ、つまり締付ベルト４のアウターブーツ２への固定は強固に行われる。なお、アウターブーツ２に固定された締付ベルト４は固着具１９を軸として回転自在に固定されている。
【００１６】
一方、締付ベルト４の自由端は、インナーブーツ３の外面に沿わせつつインナーブーツ３の甲部分Ｂを跨いでアウターブーツ２の内面の踵部分Ａにおける他側端部に至り、このアウターブーツ２の内面の踵部分Ａにおける他側端部に設けたフック５に引掛けて上方に向って折り返し、アウターブーツ２の内面の立ち上がり部分Ｃに沿って上昇し、アウターブーツ２の立ち上がり部分Ｃに設けた締付け調整具６に至るようにされている。ここで、上記フック５はアウターブーツ２の踵部分Ａを補強する補強部１０から突設され、つまりフック５は強い強度を備えて設けられている。なお、上記締付け調整具６は、後述するが、アウターブーツ２の立ち上がり部分Ｃの開口１１に固定され、締付ベルト４をその長さ方向の任意位置で保持して締付ベルト４を引っ張り、インナーブーツ３を締め付けるものである。この締付ベルト４につき更に詳述すると、締付ベルト４の構成部材のうち、インナーブーツ３の外面に沿って該インナーブーツ３を締め付けるのは主に緩衝体１５によって行われ、フック５に通して折り返すのは形状変形が容易な紐体１６によって行われ、また、締付け調整具６に連結するのは自由端側樹脂帯体１７によって行われるようにしている。
【００１７】
上述したようにインナーブーツ３とアウターブーツ２の間に備えた締付ベルト４によると、締付け調整具６にて締付ベルト４の自由端を引っ張ることによって、インナーブーツ３の外面における甲部分Ｂから踵部分Ａの左右端までの部位をアウターブーツ２の踵部分Ａに向って締め付けることができるのである。つまり、締付ベルト４は、インナーブーツ３のアウターブーツ２からの抜けの防止は勿論のこと、インナーブーツ３に入れた足のうち、特に、踵をブーツ１に強固に固定できるようにしているのである。このように踵をブーツ１に強固に固定することによると、踵をボード２０に押し付けるように体重をかけてない場合にも足とボード２０との一体化を図ることができ、つまり競技者の体の動きにボードを確実に追従させることを可能とするものであり、競技者の思いのとおりにボード２０を動作させてスノーボードを行うことができ、結果、競技者がスノーボードをより楽しめるよう図られているのである。
【００１８】
ここで、締付ベルト４による足の締め付けは、主に緩衝体１５を介して行われるが、この緩衝体１５は、アウターブーツ２の内面に沿う表面部位がプラスチックで形成されると共に、インナーブーツ３の外面に沿う裏面部位がゴム等の弾性材２１で形成されている。したがって、この緩衝体１５によると、プラスチックで形成された表面部位が緩衝体１５の変形を防止して締付ベルト４の足への食い込みが防止されると共に、弾性材２１で足を柔らかく押圧することができることから、締付ベルト４の締め付けによる足への負担の軽減化が図られているのである。
【００１９】
また、締付ベルト４の構成部材のうちフック５に引っ掛けて折り返される紐体１６は、フック５との磨耗等による損傷も激しいことが予期されるものであるので取替可能にされている。本例では、この紐体１６の固定端側樹脂帯体１４や自由端側樹脂帯体１７への連結にあっては、固定端側樹脂帯体１４及び自由端側樹脂帯体１７に設けた１対の紐通し孔２２に紐体１６の長手方向の端部を挿入し、上記１対の紐通し孔２２の間の引掛け棒２３に巻き付けて折返し、はじめに通した紐通し孔２２に再び挿入するようにして長さ調節可能にされているが、たとえば、図４（ａ）に示すように、上記紐通し孔２２の孔径より大きく形成して紐通し孔２２に引っ掛かるようにしたストッパ３３を、固定端側樹脂帯体１４や自由端側樹脂帯体１７に連結した後の紐体１６の長手方向の端部に取り付け、紐体１６の固定端側樹脂帯体１４や自由端側樹脂帯体１７への連結強度を高めるようにすることも好ましい。また、たとえば、図４（ｂ）に示すように、紐体１６の長手方向の端部と固定端側樹脂帯体１４や自由端側樹脂帯体１７とにそれぞれ１対の着脱可能なワンタッチ連結具２４を備え、紐体１６の固定端側樹脂帯体１４や自由端側樹脂帯体１７への着脱を容易にすることも好ましい。このワンタッチ連結具２４は、一方のワンタッチ連結具２４には係止突起２４ａが備えられ、他方のワンタッチ連結具２４には上記係止突起２４ａを係止させる係止凹部（図示せず）が備えられたものであり、一方のワンタッチ連結具２４を他方のワンタッチ連結具２４に嵌め込むことで係止突起２４ａが係止凹部に係止され、ワンタッチで紐体１６の固定端側樹脂帯体１４や自由端側樹脂帯体１７への連結が行われるようにするものである。これによると、紐体１６の取替を容易にできるといった利点がある。なお、図示はしないが、上記ワンタッチ連結具２４において、連結した状態の一方及び他方のワンタッチ連結具２４の間で紐体１６が挟持されるようにしてもよく、これによると、長さ調節を伴う紐体１６のワンタッチ連結具２４への連結と紐体１６の固定端側樹脂帯体１４や自由端側樹脂帯体１７への連結とを同時に行うことができて好ましいものである。
【００２０】
また、固定端側樹脂帯体１４及び自由端側樹脂帯体１７にはその長さ方向に亙ってラチェット歯形のラック２５が形成されている。ラチェット歯形とは歯の頂部を境にして緩斜面２５ａと急斜面２５ｂとを設けた歯形である。ここで、固定端側樹脂帯体１４は緩衝体１５と連結具２６を介して連結し、また自由端側樹脂帯体１７は締付け調整具６に保持されるが、この連結具２６や締付け調整具６は上記ラチェット歯形のラック２５を利用したラチェット機構から構成されている。以下、詳述する。
【００２１】
この自由端側樹脂帯体１７と緩衝体１５との連結具２６は、図５に示すように、緩衝体１５に固定された本体部２７と、本体部２７にバネ（図示せず）を介して回動するように設けた係止爪２８とで構成される。本体部２７は固定端側樹脂帯体１４を内部に貫通させるものであり、また、係止爪２８は固定端側樹脂帯体１４のラック２５にバネの付勢によって弾接して係止するものである（矢印ａ）。ここで、この係止爪２８のラック２５への係止は、ラック２５のラチェット歯形によってもどり防止が施されており、固定端側樹脂帯体１４の本体部２７へのスライド可能方向を一方向に規制している。そして、この固定端側樹脂帯体１４の本体部２７へのスライド可能方向は締付ベルト４を短くする方向に設定してある。
【００２２】
これにより、インナーブーツ３を締め付けた締付ベルト４にかかる引張り荷重によっても、固定端側樹脂帯体１４と緩衝体１５との連結位置がずれないで締付ベルト４の長さ設定を自在に行い得るようにされている。したがって、固定端側樹脂帯体１４は長さ方向の任意位置で緩衝体１５に連結することができ、ブーツ１を履く競技者個々に合わせて締付ベルト４の長さ寸法の変更を可能としている。なお、図中２９は本体部２７に回動自在に設けたストッパ爪である。このストッパ爪２９は固定端側樹脂帯体１４のラック２５に適宜係止させ、固定端側樹脂帯体１４のもどり防止効果を高めるものである。ここで、長さ方向の任意位置で固定端側樹脂帯体１４を緩衝体１５に連結させると、固定端側樹脂帯体１４に余長部分が生じるものであるが、この固定端側樹脂帯体１４の余長部分は緩衝体１５に重ねて収納できるようになっており、支障無く締付ベルト４の長さ寸法を可変にできるようにされている。
【００２３】
また、締付け調整具６は、図６に示すように、自由端側樹脂帯体１７を貫通させる本体部３０と、この本体部３０にバネ（図示せず）を介して回動するように設けた係止爪３１及び締付け爪３２とで構成される。この係止爪３１及び締付け爪３２はそれぞれ自由端側樹脂帯体１７のラック２５に係止されるものであるが、係止爪３１はバネの付勢によりラック２５に弾接して係止されるようにされ（矢印ｂ）、逆に締付け爪３２はバネの付勢によりラック２５に係止しないようにされている（矢印ｃ）。ここで、自由端側樹脂帯体１７のラック２５に弾接して係止した係止爪３１は、ラック２５のラチェット歯形によってもどり防止が施されており、自由端側樹脂帯体１７の本体部３０へのスライド可能方向を一方向に規制している。また、締付け爪３２には回動軸の軸廻りに複数枚の引掛け爪部３２ａが形成されている。そして、バネの付勢に抗って締付け爪３２を回動させると引掛け爪部３２ａがラック２５に噛み合うものであり、この引掛け爪部３２ａのラック２５への噛み合いピッチ分、固定端側樹脂帯体１４を本体部３０に対してスライドさせるようになっている。
【００２４】
そして、自由端側樹脂帯体１７の本体部３０へのスライド可能方向を該締付け調整具６が締付ベルト４の固定端側に移動するような方向と同一方向に設定し、また、係止爪３１や締付け爪３２をアウターブーツ２の立ち上がり部分Ｃに設けた開口１１から外方に突出すると共に、本体部３０をアウターブーツ２の開口１１縁に嵌合することで、締付け調整具６をアウターブーツ２に固定させている。したがって、アウターブーツ２の外方から締付け爪３２を操作し、アウターブーツ２に固定された本体部３０に対して自由端側樹脂帯体１７をスライドさせると、締付ベルト４の締め付け具合を徐々にきつくして足をブーツ１に強固に固定することができるのである。また、アウターブーツ２の外方から係止爪３１を操作して自由端側樹脂帯体１７のラック２５への係止爪３１の係止を解除させると、締付ベルト４による足の締め付けを解除できるのである。更に言うと、アウターブーツ２の開口１１は補強部１０の上縁部分の隣接位置に設けられているので、締付ベルト４を締め付けた締付け調整具６にかかる下方への引張り荷重を補強部１０にて受けるようにしてあり、締付ベルト４を締付けた際のアウターブーツ２の変形の防止が図られているのである。無論、この開口１１は補強部１０に設けるのもよく、この場合にも上記アウターブーツ２の変形防止効果が期待できる。
【００２５】
このように、本例の締付け調整具６にあっては、アウターブーツ２の外からの操作によって締付ベルト４の締め付け具合を調整できることから、従来のように締付ベルト４の足の締め付け具合を調整するのにアウターブーツ２や締付け具５０の靴紐８，５１をほどいたりする必要もなく、簡単且つすばやく締付ベルト４の足の締め付け具合を調整することができ、ブーツ１の使い勝手の大幅な向上が図られているのである。したがって、競技者はリフトに乗ったり、休憩したりする際にはブーツ１への足の締め付けをすばやく解除できると共に、雪面を滑降する際にはすばやく足をブーツ１に強固に固定できるものであり、競技者は快適にスノーボードを楽しむことができるのである。
【００２６】
なお、本例の締付け調整具６は、その本体部３０をアウターブーツ２の開口１１に嵌め込むようにしてアウターブーツ２に固定させているが、たとえば、アウターブーツ２の外表面に締付け調整具６を固定すると共に、締付ベルト４をアウターブーツ２の開口１１から外方に導出して該締付け調整具６に至らせるようにしてもよい。この場合には、アウターブーツ２に設ける開口１１の大きさを締付ベルト４の厚み分に設定できることから、該開口１１の大きさを小さくできる利点がある。
【００２７】
更に言うと、ブーツ１をボード２０に固定するにはバインディング３４を介して行う。図７には一般的なバインディング３４を用いてブーツ１をボード２０に固定した図を示す。一般的に、バインディング３４は、ボード２０に装着する本体部３５を有すると共に、この本体部３５にブーツ１の外面のつま先部分を保持する先端バンド部３６と、ブーツ１の外面の足首部分を保持する中央バンド部３７と、ブーツ１の立ち上がり部分Ｃの後部を受ける後壁部３８とを備えて構成されている。このバインディング３４にブーツ１を装着したときには、ブーツ１の立ち上がり部分Ｃにはバインディング３４がブーツ１の外面を覆わない部位ができる。本例の締付け調整具６にあっては、ブーツ１の立ち上がり部分Ｃにおけるバインディング３４に干渉されない部位に位置して設けられているものであるが、これによると、ブーツ１をボード２０に固定すると共に足をブーツ１に固定するといったスノーボードの滑走準備作業が、体をかがめると共に手を伸ばして行う先端バンド部３６及び中央バンド部３７の調整操作につづけて締付け調整具６の調整操作にスムーズに移行できるのであり、ブーツ１の使い勝手の向上が図られているのである。
【００２８】
また、本例のブーツ１にあっては、必要に応じて締付ベルト４を取り外して使用することもあるが、図８に示すように、締付け調整具６を取り外したときに開放状態になるアウターブーツ２の開口１１を覆い部材３９で塞ぐようにすると、開口１１からのアウターブーツ２内への雪の侵入の防止が施されるようになる。裏を返せば、開口１１を有した本例のアウターブーツ２は覆い部材３９をあらかじめ用意しておけば、締付ベルト４を備えないブーツ１を商品化する際にも、本例の開口１１を有したアウターブーツ２を常にブーツ１の構成品として使用できるものであり、したがって、締付ベルト４の有無に応じてアウターブーツ２の種類を増やさずに済むものであり、アウターブーツ２の汎用性の向上を図ることもできる。なお、この覆い部材３９による開口１１の閉塞は、たとえば、図８にあるように覆い部材３９の周縁にフランジ片部３９ａを設けてこのフランジ片部３９ａをアウターブーツ２の内面とインナーブーツ３の外面との間に挟み込むようにしたり、また、たとえば、図示はしないが、覆い部材３９の裏面及びインナーブーツ３の開口１１に露出する部位に１対の面ファスナーを設けてこの１対の面ファスナーを貼着したりすることで行うと、覆い部在３９の開口１１への着脱が容易に行えるのである。更に言うと、この覆い部材３９をアウターブーツ２と同材質で形成したり、覆い部材３９の表面外観をアウターブーツ２の外観に合わせたりすることも好ましく、これによるとブーツ１の外観の向上をも図ることができるのである。
【００２９】
図９には本発明の実施の形態の他例を示す。この例は、上記実施の形態の例における締付ベルト４及び締付け調整具６を変更した例であり、共通する部分には同一符号を付して説明を省略し、上記変更部分につき詳述する。
【００３０】
本例の締付ベルト４は、図１０に示すように、固定端側から自由端側に向って緩衝体１５、ワイヤ４０を順に連結して構成されている。本例の緩衝体１５はその固定端側にアウターブーツ２の踵部分Ａにまで至る延出片１５ａが形成されている。そして、この延出片１５ａの固定端側の端部及び、アウターブーツ２の踵部分Ａには上述した１対の連結具４９ａ，４９ｂがそれぞれ備えられている。そして、この緩衝体１５の自由端側にはワイヤ４０が連結されており、このワイヤ４０の自由端は、アウターブーツ２の内面の踵部分Ａにおける他側端部に至り、このアウターブーツ２の踵部分Ａのフック５に引掛けて上方に向って折り返し、アウターブーツ２の立ち上がり部分Ｃに設けた締付け調整具６に至っているのである。なお、踵部分Ａのフック５で折り返した後のワイヤ４０は、アウターブーツ２の内部に設けた挿通路４８を通って、締付け調整具６に至っている。
【００３１】
ここで、本例の締付け調整具６は、ワイヤ４０の自由端を巻き取り自在にするワイヤ巻取り装置４１で構成されている。このワイヤ巻取り装置４１は、図１１に示すように、ワイヤ４０の自由端を保持して巻き付ける巻胴部４２と、この巻胴部４２を回転自在に収納する本体部４３とを有し、本体部４３と巻胴部４２との間に該巻胴部４２の回転方向を一方向に規制するラチェット機構を介装して構成されたものである。具体的には、巻胴部４２にラチェット歯形の歯車４４を一体に設けると共に、本体部４３に上記歯車４４に弾接係止させる係止爪４５をバネ（図示せず）を介して設けている。また、巻胴部４２はその回動軸の軸線方向にスライド移動可能にされるようにバネ４６を介装して本体部４３に収納されており、このバネ４６の付勢に抗って巻胴部４２をその回動軸の軸線方向にずらすと、歯車４４と係止爪４５との係止が外れるようにされている。そして、このワイヤ巻取り装置４１は、アウターブーツ２の立ち上がり部分Ｃの開口１１に本体部４３を嵌合固定すると共に、巻胴部４２をこの開口１１からアウターブーツ２の外方に露出させ、また、ラチェット機構による巻胴部４２の回転可能方向をワイヤ４０の巻き付け方向に設定して、アウターブーツ２の立ち上がり部分Ｃに設けられている。なお、図中４７は巻胴部４２を操作するハンドルである。
【００３２】
したがって、アウターブーツ２の外方から巻胴部４２を回転させるようにハンドル４７を操作すると、ワイヤ４０が巻胴部４２に巻き取られ、締付けベルト４のインナーブーツ３への締め付け具合が徐々にきつくなり、踵をブーツ１の踵部分Ａに密着させるように足をブーツ１に強固に固定することができるのである。また、アウターブーツ２の外方からハンドル４７を押圧または引張るように操作して巻胴部４２をその回動軸の軸線方向にずらすと、歯車４４と係止爪４５との係止を解除でき、ワイヤ４０の巻胴部４２への巻付状態が緩み、締付けベルト４による足の締め付けを解除できるのである。このように、このワイヤ巻取り装置４１にあっても、先の実施の形態と同様に、アウターブーツ２の外からの操作で簡単且つすばやく締付ベルト４での足の締め付け具合を調整することができ、ブーツ１の使い勝手の大幅な向上が図られているのである。なお、図１１に示すワイヤ巻取り装置４１は、ハンドル４７を本体部４３内に押し込むことでワイヤ４０の締め付けを解除するものであるが、ハンドル４７を本体部４３外に引っ張ることでワイヤ４０の締め付けを解除できるものを代わりに用いてもよいのは言うまでもない。
【００３３】
上述したように本例は、締付ベルト４をワイヤ４０で構成しているので、締付ベルト４の軽量化やコンパクト化を図ることができ、ほどんど隙間のないアウターブーツ２とインナーブーツ３との間にも締付ベルト４を支障なく装着可能にする、といった利点を有しているのである。そして、本例では、締付ベルト４をワイヤ４０で構成したことによる締付ベルト４のコンパクト化の利点を生かし、フック５で折り返した後にワイヤ４０をアウターブーツ２の内部の挿通路４８に挿通させているのであるが、このように、締付ベルト４のインナーブーツ３への締め付けに関わらない部分でのインナーブーツ３への接触部分を無くすることで、締付ベルト４がインナーブーツ３の外面を擦ることで生じるインナーブーツ３の損傷の防止を図ることも行われているのである。更に言うと、この挿通路４８はアウターブーツ２の補強部１０に設けられるのが好ましく、これによると締付ベルト４によるブーツ１への損傷を低減化することができるのである。
【００３４】
また、本例の締付けベルト４は延出片１５ａを備えた緩衝体１５により構成されているが、この延出片１５ａを備えた緩衝体１５を用いたことで先の実施の形態の例と比べて連結具２６を設けない構造にしており、これによっても、連結具２６を無くした分、締付ベルト４の軽量化やコンパクト化に資することができる。無論、この延出片１５ａを備えた緩衝体１５にあっては、先の実施の形態の例に用いて締付ベルト４の軽量化やコンパクト化を図ってもよいのは言うまでもない。
【００３５】
【発明の効果】
上記のように本発明の請求項１記載の発明にあっては、アウターブーツと、このアウターブーツの内部に挿着されるインナーブーツとを備えたスノーボード用ブーツであって、インナーブーツの甲部分を跨いで架け渡す締付ベルトを備え、この締付ベルトの一端を固定端としてアウターブーツの踵部分の内面の一側端部に固定すると共に、この締付ベルトの他端を自由端としてアウターブーツの踵部分の内面の他側端部に設けたフックに引っ掛けたので、アウターブーツの内側部の踵部分に固定・引掛けた締付けベルトの自由端を引っ張ることで、インナーブーツの外面における足首部分から踵部分までの部位をアウターブーツの内側部の踵部分に向って締付けることができることから、インナーブーツに入れた足のうち特に踵をブーツに強固に固定でき、スノーボードの競技者は意のままにボードを動作させることができ、快適にスノーボードを楽しむことができるのである。
【００３６】
また、請求項２記載の発明にあっては、請求項１の効果に加えて、締付ベルトの自由端を締付け自在にする締付け調整具をアウターブーツの外面に設け、バインディングを付けた状態においても上記締付け調整具をアウターブーツの外から操作可能にしたので、アウターブーツの外方から締付け調整具を操作することで、足をブーツに強固に固定する締付ベルトの締め付け具合を調整でき、つまり締付ベルトの足の締め付け具合を調整するのに、ブーツを履いた状態で簡単且つすばやく行えるものであり、ブーツの使い勝手の向上を図ることができるのである。
【００３７】
また、請求項３記載の発明にあっては、請求項２の効果に加えて、締付ベルトをワイヤで構成すると共に、締付け調整具をワイヤの自由端を巻き取り自在にするワイヤ巻取り装置で構成したので、締付ベルトをワイヤにて構成したことで締付ベルトのコンパクト化を図ることができ、ほどんど隙間のないアウターブーツとインナーブーツとの間にも締付ベルトを容易に装着できるようになり、したがって、締付けベルトを適用できるブーツの種類を広げることができ、つまり締付けベルトの汎用性を向上させることができるのである。
【００３８】
また、請求項４記載の発明にあっては、請求項２の効果に加えて、締付け調整具を取り付けるための開口をアウターブーツに設け、締付け調整具を除去したときの上記開口に着脱自在に装着させる覆い部材を備えたので、締付け調整具をブーツから取り外したときには開放状態になる開口を覆い部材で塞ぐことができるのであり、つまり、開口を有したアウターブーツと、この開口を覆う覆い部材とをあらかじめ用意し、必要に応じてこの覆い部材を開口に取り付けるようにすると、締付ベルトの有無に関わらず開口を有したアウターブーツを常にブーツの構成品として使用できるものであり、したがって、締付ベルトの有無に応じてアウターブーツの種類を増やさずに済むものであり、アウターブーツの汎用性の向上を図ることができるのである。
【図面の簡単な説明】
【図１】本発明の実施の形態の例のブーツであって、（ａ）は一方から見た一部破断側面図であり、（ｂ）は一方から見た一部破断側面図である。
【図２】（ａ）は図１（ａ）の側面図であり、（ｂ）は図１（ｂ）の側面図である。
【図３】同上の締付ベルトの正面図である。
【図４】（ａ）は紐体に設けるストッパを示す説明図であり、（ｂ）は紐体と固定端側樹脂帯体及び自由端側樹脂帯体との間に設けるワンタッチ連結具を示す説明図である。
【図５】同上の固定端側樹脂帯体と緩衝体との連結具であって、（ａ）は斜視図であり、（ｂ）は概略側面図である。
【図６】同上の締付け調整具であって、（ａ）は斜視図であり、（ｂ）は概略断面図である。
【図７】同上のブーツをボードに固定した状態を示す説明図である。
【図８】同上の覆い部材を説明する説明図である。
【図９】本発明の実施の形態の他例のブーツであって、（ａ）は一方から見た一部破断側面図であり、（ｂ）は側面図である。
【図１０】同上の締付ベルトの正面図である。
【図１１】同上のワイヤ巻取り装置を示す概略断面図である。
【図１２】従来技術の例のブーツ（アウターブーツは透視）の分解斜視図である。
【符号の説明】
１  ブーツ
２  アウターブーツ
３  インナーブーツ
４  締付ベルト
５  フック
６  締付け調整具
４０  ワイヤ
４１  ワイヤ巻取り装置
Ａ  踵部分
Ｂ  甲部分
Ｃ  立ち上がり部分
【図１】
0003677255.tif 000002
【図２】
0003677255.tif 000003
【図３】
0003677255.tif 000004
【図４】
0003677255.tif 000005
【図５】
0003677255.tif 000006
【図６】
0003677255.tif 000007
【図７】
0003677255.tif 000008
【図８】
0003677255.tif 000009
【図９】
0003677255.tif 000010
【図１０】
0003677255.tif 000011
【図１１】
0003677255.tif 000012
【図１２】
0003677255.tif 000013